(57)【要約】【課題】ハウジングの端子部周辺の小型化を図り、且つ同軸ケーブルのノイズ特性を良好に維持し、特性インピーダンスの変化を抑制可能な同軸端子等を提供する。【解決手段】  本発明は、絶縁体５０を介して中心導体５１の周囲に設けられた外部導体５２を外部被覆５３で被覆してなる同軸ケーブル７の端末に設けられる第２接続端子５であって、同軸ケーブル７の外部被覆５３に圧着される被覆圧着バレル部４４と、被覆圧着バレル部４４の先端側で同軸ケーブル７の外部導体５２に圧着される外部導体圧着バレル部４５と、外部導体圧着バレル部４５の先端側で中心導体５１と接続する端子内部導体５６と、外部導体５２と接続する端子外部導体５４とを有し、相手側接続端子１０２に接続される端子部４３と、被覆圧着バレル部４４と外部導体圧着バレル部４５との間に設けられ同軸ケーブル７の外部導体５２に覆設される中間バレル部４８とを備える。【選択図】図７
2014107140.tif 000002
【特許請求の範囲】
【請求項１】
絶縁体を介して中心導体の周囲に設けられた外部導体を外部被覆で被覆してなる同軸ケーブルの端末に設けられる同軸端子であって、
前記同軸ケーブルの前記外部被覆に圧着される被覆圧着バレル部と、
前記被覆圧着バレル部の先端側に設けられ、前記同軸ケーブルの前記外部導体に圧着される外部導体圧着バレル部と、
前記外部導体圧着バレル部の先端側に設けられ、前記中心導体と接続する端子内部導体と、前記外部導体と接続する端子外部導体とを有し、相手側接続端子に接続される端子部と、
前記被覆圧着バレル部と前記外部導体圧着バレル部との間に設けられ、前記同軸ケーブルの前記外部導体に覆設される中間バレル部と、を備えていることを特徴とする同軸端子。
【請求項２】
前記外部導体圧着バレル部は、凸状に形成された一方の圧着片と、圧着時に該凸状の圧着片に噛合するように凹状に形成された他方の圧着片と、により構成され、
前記中間バレル部は、凹状に形成された一方の被着片と、覆設時に該凹状の被着片に噛合するように凸状に形成された他方の被着片と、により構成されていることを特徴とする請求項１に記載の同軸端子。
【請求項３】
前記端子部が屈曲してＬ字型に形成され、
前記端子部の内部には、端子内部導体の周囲に端子絶縁体が設けられ、
該端子絶縁体の基端部には、前記外部導体圧着バレル部との間に絶縁突部が形成され、
前記絶縁突部の周囲には、絶縁体囲繞部が形成されていることを特徴とする請求項１または２に記載の同軸端子。
【請求項４】
絶縁体を介して中心導体の周囲に設けられた外部導体を外部被覆で被覆してなる同軸ケーブルと、
前記同軸ケーブルの前記外部被覆に圧着される被覆圧着バレル部と、
前記被覆圧着バレル部の先端側に設けられ、前記同軸ケーブルの前記外部導体に圧着される外部導体圧着バレル部と、
前記外部導体圧着バレル部の先端側に設けられ、前記中心導体と接続する端子内部導体と、前記外部導体と接続する端子外部導体とを有し、相手側接続端子に接続される端子部と、
前記被覆圧着バレル部と前記外部導体圧着バレル部との間に設けられ、前記同軸ケーブルの前記外部導体に覆設される中間バレル部と、を備え、
前記外部導体に覆設された状態の前記中間バレル部は、前記外部被覆に圧着された状態の前記被覆圧着バレル部より細く、且つ、前記外部導体に圧着された状態の前記外部導体圧着バレル部よりも太く形成されていることを特徴とする同軸ケーブル付き同軸端子。
【発明の詳細な説明】
【技術分野】
【０００１】
本発明は、同軸ケーブルの端末に取り付けられる同軸端子および同軸ケーブル付き同軸端子に関する。
【背景技術】
【０００２】
一般に、絶縁体を介して中心導体の周囲に設けられた外部導体を外部被覆で被覆してなる同軸ケーブルの先端に接続される同軸端子が用いられている。
従来の同軸端子として、同軸ケーブルの外部被覆にかしめられるケーブル把持部と、ケーブル把持部の先端側に隣接して設けられ、同軸ケーブルのシールド（外部導体）にかしめられるシールド把持部と、シールド把持部の先端側に設けられ、相手側コネクタの相手側接続端子と接続される接続部（端子部）と、を有するものが知られている（例えば、特許文献１参照）。このような同軸端子は、ケーブル把持部およびシールド把持部を形成するＵ字型形状の折り曲げ部をかしめることにより同軸ケーブルに圧着される。
【先行技術文献】
【特許文献】
【０００３】
【特許文献１】特開２０１２−１２９１０３号公報
【発明の概要】
【発明が解決しようとする課題】
【０００４】
一般的に、このような同軸端子はハウジングに収容されてコネクタを構成し、このコネクタが相手側接続端子を収容した相手側コネクタと嵌合することで、同軸端子の端子部が相手側接続端子に接続される。ところで、例えば、電気機器等の筐体内の基板上に設けられた相手側コネクタを、筐体に形成された開口から外部に露出させて、これにコネクタを嵌合させる場合等では、美観上および強度上の観点から筐体の開口をできる限り小さく形成することが好ましいため、相手側コネクタに対するコネクタの嵌合部分の小型化が求められる。
【０００５】
このようにコネクタ（ハウジング）の嵌合部分の小型化を図る場合、ハウジングに収容される同軸端子の小型化（小径化）も求められる。上記した同軸端子では同軸ケーブルに接続された状態で、被覆圧着バレル部の方が外部導体圧着バレル部よりも太くなる。このため、当該嵌合部分の小型化を図る場合、被覆圧着バレル部は、端子部から引き離した位置に形成することが好ましい。
【０００６】
しかしながら、被覆圧着バレル部と端子部とを引き離した場合、被覆圧着バレル部と外部導体圧着バレル部との間も引き離されるため、同軸ケーブルの外部導体を露出させる距離が長くなりノイズ特性上、不利になるという問題があった。
【０００７】
一方、被覆圧着バレル部と外部導体圧着バレル部との間での同軸ケーブルの外部導体の露出を少なくするために、外部導体圧着バレル部を基端側に延設することも考えられる。しかしながら、露出した外部導体全体を外部導体圧着バレル部で圧着して変形させてしまうと、同軸ケーブルの特性インピーダンスが変化（乱れ）てしまい、所定の高周波信号を伝送できなくなるという問題があった。
【０００８】
本発明は上記した課題を解決すべくなされたものであり、同軸端子を収容するハウジングにおいて端子部周辺の小型化を図ることができ、且つ同軸ケーブルのノイズ特性を良好に維持することができると共に特性インピーダンスの変化を抑制することができる同軸端子および同軸ケーブル付き同軸端子を提供することを目的とするものである。
【課題を解決するための手段】
【０００９】
上記課題を解決するために、本発明の第１の同軸端子は、絶縁体を介して中心導体の周囲に設けられた外部導体を外部被覆で被覆してなる同軸ケーブルの端末に設けられる同軸端子であって、前記同軸ケーブルの前記外部被覆に圧着される被覆圧着バレル部と、前記被覆圧着バレル部の先端側に設けられ、前記同軸ケーブルの前記外部導体に圧着される外部導体圧着バレル部と、前記外部導体圧着バレル部の先端側に設けられ、前記中心導体と接続する端子内部導体と、前記外部導体と接続する端子外部導体とを有し、相手側接続端子に接続される端子部と、前記被覆圧着バレル部と前記外部導体圧着バレル部との間に設けられ、前記同軸ケーブルの前記外部導体に覆設される中間バレル部と、を備えていることを特徴とする。
【００１０】
本発明の第１の同軸端子によれば、被覆圧着バレル部は、外部導体圧着バレル部および中間バレル部を挟んで、端子部から引き離された位置に形成されている。これにより、端子部側には、被覆圧着バレル部と比して小径とすることができる外部導体圧着バレル部および中間バレル部が位置しているため、例えば、同軸端子を収容するハウジングにおいて端子部周辺の小型化を図ることができる。また、中間バレル部は、同軸ケーブルの外部導体に覆うように設けられているため、同軸ケーブルのノイズ特性を良好に維持することができる。さらに、中間バレル部は、同軸ケーブルの外部導体を押し潰すことがないため、絶縁体および中心導体を過度に変形させることがなく、同軸ケーブルの特性インピーダンスの変化を抑制することができる。
【００１１】
また、本発明の第２の同軸端子は、上述した第１の同軸端子において、前記外部導体圧着バレル部は、凸状に形成された一方の圧着片と、圧着時に該凸状の圧着片に噛合するように凹状に形成された他方の圧着片と、により構成され、前記中間バレル部は、凹状に形成された一方の被着片と、覆設時に該凹状の被着片に噛合するように凸状に形成された他方の被着片と、により構成されていることを特徴とする。
【００１２】
本発明の第２の同軸端子によれば、外部導体圧着バレル部と中間バレル部とを構成している凹状の片（圧着片および被着片）と、凸状の片（圧着片および被着片）と、が互い違いに形成されている。通常、圧着または覆設時には、凹状の片から凸状の片に向かう回動力が外部導体（同軸ケーブル）に作用する。このため、外部導体に対し、外部導体圧着バレル部の圧着時と、中間バレル部の覆設時とでは、外部導体（同軸ケーブル）に作用する回動力は、相反する方向に向かうこととなる。これにより、同軸ケーブルが一方向に回動させられることを抑制することができ、同軸端子と同軸ケーブルとの接続を捩じれのないバランスの良い状態とすることができる。
【００１３】
また、本発明の第３の同軸端子は、上述した第１または第２の同軸端子において、前記端子部が屈曲してＬ字型に形成され、前記端子部の内部には、端子内部導体の周囲に端子絶縁体が設けられ、該端子絶縁体の基端部には、前記外部導体圧着バレル部との間に絶縁突部が形成され、前記絶縁突部の周囲には、絶縁体囲繞部が形成されていることを特徴とする。
【００１４】
本発明の第３の同軸端子によれば、絶縁体囲繞部が絶縁突部を囲むことで、絶縁突部に連なる端子絶縁体を介して端子部を支持することができる。これにより、例えば、同軸端子に接続された同軸ケーブルがこじられてＬ字型に屈曲した部分に応力集中が生じた場合でも、同軸端子の変形を抑制することができる。
【００１５】
本発明の同軸ケーブル付き同軸端子は、絶縁体を介して中心導体の周囲に設けられた外部導体を外部被覆で被覆してなる同軸ケーブルと、前記同軸ケーブルの前記外部被覆に圧着される被覆圧着バレル部と、前記被覆圧着バレル部の先端側に設けられ、前記同軸ケーブルの前記外部導体に圧着される外部導体圧着バレル部と、前記外部導体圧着バレル部の先端側に設けられ、前記中心導体と接続する端子内部導体と、前記外部導体と接続する端子外部導体とを有し、相手側接続端子に接続される端子部と、前記被覆圧着バレル部と前記外部導体圧着バレル部との間に設けられ、前記同軸ケーブルの前記外部導体に覆設される中間バレル部と、を備え、前記外部導体に覆設された状態の前記中間バレル部は、前記外部被覆に圧着された状態の前記被覆圧着バレル部より細く、且つ、前記外部導体に圧着された状態の前記外部導体圧着バレル部よりも太く形成されていることを特徴とする。
【００１６】
本発明の第４の同軸ケーブル付き同軸端子によれば、被覆圧着バレル部は、端子部から引き離された位置に形成されていると共に、被覆圧着バレル部、中間バレル部、外部導体圧着バレル部の順に細く（小径）形成されている。このため、例えば、同軸ケーブル付き同軸端子を収容するハウジングの端子部周辺を小型化することができる。また、中間バレル部は、同軸ケーブルの外部導体を押し潰すことなく、外部導体を覆うように設けられているため、同軸ケーブルのノイズ特性を良好に維持すると共に特性インピーダンスの変化を抑制することができる。
【発明の効果】
【００１７】
本発明によれば、ハウジングの端子部周辺の小型化を図りつつ、同軸ケーブルのノイズ特性を良好に維持することができると共に特性インピーダンスの変化を抑制することができる。
【図面の簡単な説明】
【００１８】
【図１】本発明の一実施形態に係るコネクタを上方から示す斜視図である。
【図２】本発明の一実施形態に係るコネクタを下方から示す斜視図である。
【図３】本発明の一実施形態に係るコネクタを示す断面図である。
【図４】本発明の一実施形態に係るコネクタを分解した状態を上方から示す斜視図である。
【図５】本発明の一実施形態に係るコネクタを分解した状態を下方から示す斜視図である。
【図６】本発明の一実施形態に係るコネクタに収容される第２接続端子を同軸ケーブルにかしめる前の状態を示す斜視図である。
【図７】本発明の一実施形態に係るコネクタに収容される第２接続端子を同軸ケーブルにかしめた状態を示す斜視図である。
【図８】本発明の一実施形態に係るコネクタが嵌合する相手側コネクタを上方から示す斜視図である。
【発明を実施するための形態】
【００１９】
以下、本発明の実施の形態について添付図面を参照しながら説明する。なお、以下の説明では、便宜上、図１において矢印で示した向きを基準として、各図において矢印で示すように前後、左右および上下の向きを設定する。
【００２０】
図１ないし図５を参照しつつ、本発明の実施の形態に係るコネクタ１の構成について説明する。ここで、図１は、本発明の一実施形態に係るコネクタ１を上方から示す斜視図であり、図２は、下方から示す斜視図である。図３は、本発明の一実施形態に係るコネクタ１を示す断面図である。図４は、本発明の一実施形態に係るコネクタ１を分解した状態を上方から示す斜視図であり、図５は、下方から示す斜視図である。
【００２１】
図１ないし図５に示すように、コネクタ１は、コネクタ１の主要な外観を成すハウジング２と、ハウジング２の内部下側に収容される２つの第１接続端子３と、各第１接続端子３の上側に設けられ、ハウジング２の内部を上下方向に２分割する隔壁部材４と、隔壁部材４の上側に収容される２つの第２接続端子５と、各第２接続端子５の上側において、隔壁部材４に対し略平行となるようにハウジング２の上部に設けられるカバー６と、を備えている。なお、図４および図５では、第１接続端子３および第２接続端子５は、それぞれ１つのみ図示している。
【００２２】
ハウジング２は、合成樹脂等の絶縁材料から成り、後方および上方を開放して外観略箱状に形成される本体部１０と、本体部１０の前端部から下方に突出するように形成される突設部１１と、を有している。本体部１０と突設部１１とは一体に形成されて、ハウジング２を構成している。
【００２３】
本体部１０は、後部側に設けられる拡幅部１２と、拡幅部１２より左右方向に小さくなるように左右一対の段差部１４を介して拡幅部１２の前端から前方に延出される狭幅部１３と、を有し、拡幅部１２および狭幅部１３の下部には、前後方向に亘って左右一対の収容凹部１５が形成されている。
【００２４】
拡幅部１２は、拡幅ベース部１６と、拡幅ベース部１６の左右端部から立設される左右一対の拡幅壁部１７と、を有している。同様に、狭幅部１３は、狭幅ベース部１８と、狭幅ベース部１８の左右端部から立設される左右一対の狭幅壁部１９と、を有している。各拡幅壁部１７と各狭幅壁部１９とは段差部１４により連設されている。
【００２５】
狭幅ベース部１８は、拡幅ベース部１６に対し僅かな段差を有し上方に位置している。各狭幅壁部１９の外側面において上下方向中央より下部から狭幅ベース部１８の下面に亘って帯状の凸部１８ａが形成されており、狭幅ベース部１８の下面側の凸部１８ａには、リブ部１８ｂが下方に突設されている。
【００２６】
各拡幅壁部１７の外側面において、下部、前後方向略中央には、後側係止部２０が突設されており、後部、上下方向略中央より上側には、略正方形状の矩形開口２１が形成されている。
【００２７】
図４に良く示されているように、左側の拡幅壁部１７の内側には、左側の収容凹部１５の後方左側面を構成する内側立設部２２が形成されている。同様に、右側の拡幅壁部１７の内側面には、右側の収容凹部１５の後方右側面を構成する内側立設部２２が形成されている。各内側立設部２２は、拡幅ベース部１６の上面から矩形開口２１の下端部までの間において前後方向に亘って各拡幅壁部１７と一体に形成されている。また、各内側立設部２２は、各狭幅壁部１９の内側面の後方向への延長線よりも外側（拡幅壁部１７側）に位置するように形成されている。なお、右側の収容凹部１５の前方右側面および左側の収容凹部１５の前方左側面は、左右一対の狭幅壁部１９の内側面によって構成されている。
【００２８】
また、左側の内側立設部２２の前端部分には、段差を有して前端立設部２２ａが右方向に突出して形成されている。さらに、左右一対の内側立設部２２の前後方向略中央部分には、内側立設部２２を前後に分断するように上下方向に亘って内側係止凹部２３が形成されている。左側の内側立設部２２の内側係止凹部２３は、拡幅壁部１７（外側）に向かってスリット状に切り込まれるようにして形成されている。図４からは明らかでないが、右側の内側立設部２２の内側係止凹部２３は、左側の内側立設部２２の内側係止凹部２３よりも、前方に向かって幅広に形成されている。つまり、左右一対の内側係止凹部２３は、前後方向に相互にずれた異なる位置に形成されている。
【００２９】
また、各拡幅壁部１７の内側面において、矩形開口２１の上端部より上側には、内側係止部２４が突設されており、各拡幅壁部１７の内側面の前側には、内側立設部２２の上端面から拡幅壁部１７の上端近傍まで延出するガイド凸部２５が突設されている。
【００３０】
拡幅ベース部１６および狭幅ベース部１８の左右方向中央には、前後方向に亘って中央立設部２６が形成されている。中央立設部２６は、右側の収容凹部１５の左側面および左側の収容凹部１５の右側面を構成し、上記した各内側立設部２２と同一の高さとなるように立設されている。なお、拡幅ベース部１６および狭幅ベース部１８の内面（上面）は、各収容凹部１５の下面を構成している。
【００３１】
中央立設部２６は、拡幅部１２側の後側中央立設部２６ａと、後側中央立設部２６ａより左右方向の幅が広くなるように段差を介して形成される狭幅部１３側の前側中央立設部２６ｂと、から構成されている。詳細には、後側中央立設部２６ａと前側中央立設部２６ｂとの間の段差は、右側面において拡幅部１２と狭幅部１３との境界に１つの右側段差部２６ｃが形成され、左側面において拡幅部１２と狭幅部１３との境界よりやや後方およびやや前方に第１左側段差部２６ｄおよび第２左側段差部２６ｅが形成されている。なお、第２左側段差部２６ｅの形成位置は、上記した前端立設部２２ａの段差の形成位置に前後方向で一致している。また、前側中央立設部２６ｂの前端部上面には、前後方向に長い板状の内部突起２７が突設されている（正確には、狭幅部１３と突設部１１との間に突設されている。）。
【００３２】
後側中央立設部２６ａの前後方向略中央には、後側中央立設部２６ａを前後方向に分断するように中央係止凹部２８が形成されている。中央係止凹部２８の後端面は、右側が前方に延出してクランク状に形成されている。中央係止凹部２８の左側後端面２８ａの形成位置は、上記した左側の内側立設部２２に形成された内側係止凹部２３の後端面の形成位置に前後方向で一致している。一方、中央係止凹部２８の右側後端面２８ｂは、上記した右側の内側立設部２２に形成された内側係止凹部２３の後端面の形成位置に前後方向で一致している。
【００３３】
上記から明らかなように、左右一対の収容凹部１５は、拡幅ベース部１６と、狭幅ベース部１８と、左右一対の内側立設部２２と、左右一対の狭幅壁部１９と、中央立設部２６とにより囲まれ、後方および上方を開放した空間として形成されている。
【００３４】
図３に良く示されているように、各収容凹部１５の下面は、拡幅ベース部１６の後端から上記した第１左側段差部２６ｄおよび前端立設部２２ａの段差の形成位置までの間に形成される後側下面部１５ａと、後側下面部１５ａより僅かに上方に位置し、狭幅ベース部１８の前端近傍まで延出して形成される中間下面部１５ｂと、中間下面部１５ｂより僅かに上方に位置し、狭幅ベース部１８の前端まで延出して形成される前側下面部１５ｃと、により構成されている。また、上記したように、各内側立設部２２は狭幅壁部１９の内側面位置より外側に位置し、後側中央立設部２６ａは左右方向の幅が狭くなっている。これにより、各収容凹部１５は、後側が上下左右に広く（大径に）形成され、前方に向かうに従って、上下左右に狭く（小径に）なるように形成されている。
【００３５】
次に、突設部１１は、狭幅部１３の前方に設けられ、狭幅部１３の下面から下方に突出して形成される突設本体部３０と、突設本体部３０の前方に形成される電源線収容部３１と、電源線収容部３１の前方に設けられるロックアーム３２と、を有している。
【００３６】
突設本体部３０は、下端に配設される突設ベース部３３と、突設ベース部３３の左右端部から立設される左右一対の突設側壁部３４と、各突設側壁部３４の前端部を連結するように突設ベース部３３の前端部から立設される突設前壁部３５と、各突設側壁部３４の後端部を連結するように突設ベース部３３の後端部から狭幅部１３の下面までに形成される突設後壁部３６と、を有している。これにより、突設本体部３０は、上方を開放し、上部後方を狭幅部１３の前部に連設される箱状に形成されている。
【００３７】
突設ベース部３３には、円形の端子開口部３７が前後左右に２つずつ並んで形成されている。つまり、４つの端子開口部３７が格子状に形成されている。なお、前側で左右に並設された一対の端子開口部３７の間には、前後方向に細長いスリット３３ａが形成されている。
【００３８】
各突設側壁部３４の外側面は、狭幅部１３の各狭幅壁部１９の外側面と同一平面を形成しており、各突設側壁部３４および突設前壁部３５の上端面は、各狭幅壁部１９の上端面と同一平面を形成している。また、各突設側壁部３４の前後方向略中央には、外側嵌合溝３４ａが凹設されている。左右一対の外側嵌合溝３４ａは、突設側壁部３４の下端から上下方向中央よりやや上側までの間に形成されている。同様に、突設後壁部３６、狭幅ベース部１８および前側中央立設部２６ｂの左右方向略中央には、後側嵌合溝３６ａが凹設されている。後側嵌合溝３６ａは、突設側壁部３４の下端から上下方向略中央よりやや上側までの間に形成されている。すなわち、左右一対の外側嵌合溝３４ａは、前後に並設された一対の端子開口部３７の間に形成され、後側嵌合溝３６ａは、後側で左右に並設された一対の端子開口部３７の間に形成されている。
【００３９】
突設前壁部３５の前面において、上部、各突設側壁部３４の近傍には、左右一対の前側係止部３５ａが突設されている。
【００４０】
突設本体部３０の内部には、上記した端子開口部３７に対応する位置に円柱状の収容孔部３８が上下方向に形成されている。図３に良く示されているように、この収容孔部３８は、後側の左右一対の端子開口部３７と上記した左右一対の収容凹部１５の先端部とを連通させる左右一対の第１収容孔部３８ａと、前後隔壁部３９ａを挟んで各第１収容孔部３８ａの前方に設けられる左右一対の第２収容孔部３８ｂと、から構成されている。
【００４１】
左右一対の第１収容孔部３８ａの間には、上記した前側中央立設部２６ｂが延設されており、その前方には段差を有して上方に延出し、左右一対の第２収容孔部３８ｂの間に設けられる左右隔壁部３９ｂ（図４参照）が形成されている。なお、左右隔壁部３９ｂの上端面には、前端電源線溝部３９ｃが形成されている。
【００４２】
各第１収容孔部３８ａおよび各第２収容孔部３８ｂは、各端子開口部３７よりも僅かに大径に形成されている。また、各収容孔部３８ａ，３８ｂの下部には、突設側壁部３４に貫通する前後方向に細長い長方形状の収納開口３８ｃが形成されている。また、各第２収容孔部３８ｂは、各第１収容孔部３８ａよりも上下方向に長く形成されている。すなわち、端子開口部３７は、前方に配設されたものほど、上下方向に長く延出するように形成されている。
【００４３】
電源線収容部３１は、矩形筒状に形成されており、その下面を突設ベース部３３の下面と同一平面とし、突設前壁部３５の上端面より上方に延出させている。電源線収容部３１の下面には、電源線開口３１ａが形成され、電源線収容部３１の内部には、電源線開口３１ａと左右隔壁部３９ｂの前端電源線溝部３９ｃの前端部とを連通させる電源線収納孔部３１ｂが上下方向に形成されている。
【００４４】
電源線収容部３１の左外側面には左方向に突出する第１誤挿入防止凸部３１ｃが形成されている。また、電源線収容部３１の右面と突設前壁部３５の前面とには、第２誤挿入防止凸部３１ｄが形成されている。各誤挿入防止凸部３１ｃ，３１ｄは、その下面を電源線収容部３１の下面と同一平面とし、前側係止部３５ａよりもやや下方位置まで延設されている。
【００４５】
ロックアーム３２は、電源線収容部３１の前面下端から前方に突出する延出部４０と、延出部４０の前端から上方に延出するアーム部４１と、を有している。
【００４６】
延出部４０は、その下面を電源線収容部３１の下面と同一平面となるように形成されている。アーム部４１は、電源線収容部３１の前面と略平行となるように延出部４０の前端部から上記した突設前壁部３５の各前側係止部３５ａと略同一高さまで延設され、これより上部には、前方に向かって僅かに屈曲し、左右方向に広がってＴ字状に形成された操作部４１ａが設けられている。これにより、アーム部４１と電源線収容部３１との間には隙間Ｓが形成され、アーム部４１は延出部４０との接続部分を支点として後方に撓曲可能となっている。また、アーム部４１の前面で操作部４１ａのやや下方には、左右方向に長い直方体状のロック係合部４１ｂが突設されている。
【００４７】
次に、図３ないし図７を参照して、第１接続端子３および第２接続端子５について説明する。図６は、本発明の実施形態に係るコネクタ１に収容される第２接続端子５を同軸ケーブル７にかしめる前の状態を示す斜視図であり、図７は、かしめた状態を示す斜視図である。なお、図６および図７は、第２接続端子５を示す図であるが、第１接続端子３と同様の構成を多く有していることから、第１接続端子３についても図６および図７を参照して説明する。第１接続端子３および第２接続端子５の同様の構成については同一の符号を付している。
【００４８】
第１接続端子３は、同軸ケーブル７の先端側に設けられ前方に延出する接続部４２と、接続部４２の先端で接続部４２に対して屈曲する端子部４３と、によりＬ字型に一体形成される同軸端子である。第１接続端子３に接続される同軸ケーブル７は、絶縁体５０を介して中心導体５１の周囲に設けられた外部導体５２を外部被覆５３で被覆して構成されている。
【００４９】
接続部４２は、金属等の導電材料からなり、後端部に設けられる被覆圧着バレル部４４と、被覆圧着バレル部４４の前端側に設けられる外部導体圧着バレル部４５と、外部導体圧着バレル部４５の前端側に設けられる絶縁体囲繞部４６と、被覆圧着バレル部４４の後端に設けられる左右一対の係止凸部４７と、を有している。なお、被覆圧着バレル部４４および絶縁体囲繞部４６の上面は、略同一平面を成すように形成されている。
【００５０】
被覆圧着バレル部４４、外部導体圧着バレル部４５および絶縁体囲繞部４６は、それぞれ、かしめる前の状態において、左右一対の被覆圧着片４４ａ、左右一対の導体圧着片４５ａおよび左右一対の囲繞片４６ａを上方に延出させて後面視でＵ字状に形成されている（図６参照）。被覆圧着バレル部４４の各被覆圧着片４４ａおよび絶縁体囲繞部４６の各囲繞片４６ａは、側面視で上下方向に細長い長方形状に形成されている。外部導体圧着バレル部４５の左側の導体圧着片４５ａは、先端（下端）が凸状（三角形状）に形成されており、右側の導体圧着片４５ａは、先端（下端）が凹状（Ｖ字状）に形成されている（図６および図７に示す第２接続端子５の各導体圧着片４５ａとは左右逆になっている。）。なお、図示は省略するが、外部導体圧着バレル部４５の内面には、溝が格子状に形成されている。
【００５１】
各係止凸部４７は、被覆圧着バレル部４４の各被覆圧着片４４ａの上下方向中央からやや上側で、各被覆圧着片４４ａの後端から後方に突出した片を左右方向外側に折り曲げることにより形成されている。
【００５２】
端子部４３は、円筒状の導電材料からなる端子外部導体５４と、端子外部導体５４の内部に設けられる端子絶縁体５５と、導電材料からなり端子絶縁体５５の内部に設けられる端子内部導体５６と、を有している。
【００５３】
端子外部導体５４の下部、左右両周面には、左右一対の台形状の嵌合片部５４ａが形成されている。各嵌合片部５４ａは、その下端が自由端となるように端子外部導体５４を切り込むことで形成されている。
【００５４】
端子絶縁体５５は、円筒状に形成される絶縁本体部５５ａと、絶縁本体部５５ａの後端部から絶縁体囲繞部４６側にＬ字型に屈曲し、矩形筒状に形成される絶縁突部５５ｂと、を有している。すなわち、絶縁突部５５ｂは、端子部４３と外部導体圧着バレル部４５との間に形成されている。
【００５５】
端子内部導体５６は、絶縁本体部５５ａの内部に保持される円筒状の内部導体本体部５６ａと、内部導体本体部５６ａの後端部から絶縁体囲繞部４６側にＬ字型に屈曲し筒状に形成される内部導体圧着バレル部５６ｂと、を有している。
【００５６】
内部導体本体部５６ａの先端部（下端部）には、前後一対の端子片部５６ｃが二股に分離して形成されている（図３参照）。各端子片部５６ｃの先端部（下端部）は外側に屈曲して形成されている。内部導体圧着バレル部５６ｂは、かしめる前の状態において、圧着片（図示せず）を右方に延出させて後面視でＵ字状に形成されている。
【００５７】
次に、第１接続端子３を同軸ケーブル７に接続する手順について説明する。なお、図示は省略するが、同軸ケーブル７に取り付ける前の第１接続端子３および第２接続端子５は、接続部４２と端子部４３とがＬ字型に屈曲しておらず、直線状に形成されている。
【００５８】
まず、作業者は、各同軸ケーブル７に末端処理を施す。すなわち、第１接続端子３の接続部４２に対応するように同軸ケーブル７の外部導体５２を露出させると共に、所定長さの中心導体５１を露出させる。
【００５９】
作業者は、露出させた中心導体５１に対し、端子内部導体５６の内部導体圧着バレル部５６ｂをかしめることにより、中心導体５１に端子内部導体５６を固定する。この端子内部導体５６を、端子部４３の端子絶縁体５５（絶縁本体部５５ａ）内に挿入した後、接続部４２に対し端子部４３をＬ字型になるように折り曲げる。すると、絶縁突部５５ｂが絶縁体囲繞部４６内に臨み、露出させた外部導体５２が外部導体圧着バレル部４５内に臨み、外部被覆５３に覆われた同軸ケーブル７が被覆圧着バレル部４４内に臨むこととなる。（図６参照）
【００６０】
そして、作業者は、同軸ケーブル７の外部被覆５３に対し、被覆圧着バレル部４４をかしめる。これにより、各被覆圧着片４４ａは、外部被覆５３に僅かに食い込むようにして圧着される。また、作業者が同軸ケーブル７の外部導体５２に対し、外部導体圧着バレル部４５をかしめることにより、各導体圧着片４５ａが外部導体５２を僅かに押し潰すようにして圧着される。この状態で、接続部４２の太さ（直径）は、被覆圧着バレル部４４より外部導体圧着バレル部４５の方が細く（小径）形成されている（図７参照）。さらに、作業者は、絶縁突部５５ｂを包むように絶縁体囲繞部４６の各囲繞片４６ａを折り曲げる。つまり、絶縁突部５５ｂを各囲繞片４６ａにより圧着する必要は無い。以上により、同軸ケーブル７付き第１接続端子３が構成される。
【００６１】
続いて、図３ないし図７を参照して、第２接続端子５について説明する。なお、第２接続端子５の説明において、第１接続端子３と同様の構成についての説明は省略する。
【００６２】
第２接続端子５は、第１接続端子３と同様に、接続部４２と端子部４３とによりＬ字型に一体形成される同軸端子である。第２接続端子５の接続部４２は、第１接続端子３の構成に加えて、被覆圧着バレル部４４と外部導体圧着バレル部４５との間に設けられる中間バレル部４８を有している。
【００６３】
第２接続端子５の端子部４３の上下方向の長さ（高さ）は、第１接続端子３の端子部４３の高さよりも長く形成されている。なお、被覆圧着バレル部４４、絶縁体囲繞部４６および中間バレル部４８の上面は、略同一平面を成すように形成されている。
【００６４】
中間バレル部４８は、かしめる（折り曲げる）前の状態において、左右一対の被着片４８ａを上方に延出させて後面視でＵ字状に形成されている（図６参照）。中間バレル部４８は、外部導体圧着バレル部４５より前後方向に長く形成されている。このため、第２接続端子５の接続部４２は、第１接続端子３の接続部４２よりも前後方向に長く形成されており、被覆圧着バレル部４４と外部導体圧着バレル部４５とは引き離された状態で構成されている。
【００６５】
第２接続端子５の外部導体圧着バレル部４５の左側の導体圧着片４５ａは、先端（下端）が凹状（Ｖ字状）に形成されており、右側の導体圧着片４５ａは、先端（下端）が凸状（三角形状）に形成されている。また、中間バレル部４８の左側の被着片４８ａは、先端（下端）が凸状（三角形状）に形成されており、右側の被着片４８ａは、先端（下端）が凹状（Ｖ字状）に形成されている。つまり、外部導体圧着バレル部４５と中間バレル部４８とを構成している凹状の片４５ａ，４８ａと凸状の片４５ａ，４８ａとが互い違いに形成されている。なお、図示は省略するが、外部導体圧着バレル部４５および中間バレル部４８の内面には、溝が格子状に形成されている。
【００６６】
次に、第２接続端子５を同軸ケーブル７に接続する手順について説明する。まず、第１接続端子３の場合と同様に、作業者は、第２接続端子５の接続部４２に対応するように同軸ケーブル７の外部導体５２を露出させると共に、所定長さの中心導体５１を露出させる。なお、第２接続端子５の接続部４２は、中間バレル部４８を設けたことにより、被覆圧着バレル部４４と外部導体圧着バレル部４５とは引き離されているため、第１接続端子３の場合よりも、前後方向に長く外部導体５２を露出させることとなる。
【００６７】
作業者は、第１接続端子３の場合と同様に、露出させた中心導体５１に端子内部導体５６を固定し、絶縁本体部５５ａ内に挿入した後、接続部４２に対し端子部４３をＬ字型になるように折り曲げる。すると、絶縁突部５５ｂが絶縁体囲繞部４６内に臨み、露出させた外部導体５２が外部導体圧着バレル部４５および中間バレル部４８内に臨み、外部被覆５３に覆われた同軸ケーブル７が被覆圧着バレル部４４内に臨むこととなる（図６参照）。
【００６８】
そして、第１接続端子３の場合と同様に、作業者は、同軸ケーブル７の外部被覆５３に対し被覆圧着バレル部４４を、また、外部導体５２に対し外部導体圧着バレル部４５をかしめて固定する。また、作業者は、絶縁突部５５ｂに対し絶縁体囲繞部４６（各囲繞片４６ａ）を折り曲げて固定する。さらに、作業者は、同軸ケーブル７の外部導体５２に対し、中間バレル部４８を覆設する。すなわち、各被着片４８ａは、絶縁体５０および中心導体５１を過度に押し潰すことなく（変形させず）、外部導体５２の周面に添うように折り曲げられる。つまり、各被着片４８ａを折り曲げられた状態の中間バレル部４８の内径は、外部導体５２の外径と略同一に形成されている。また、この状態で、接続部４２の太さ（直径）は、被覆圧着バレル部４４、中間バレル部４８、外部導体圧着バレル部４５の順に細く（小径）形成されている（図７参照）。以上により、同軸ケーブル７付き第２接続端子５が構成される。
【００６９】
次に、再び図３ないし図５を参照して、隔壁部材４について説明する。隔壁部材４は、合成樹脂等の絶縁材料から成り、平面視で前後方向に細長い略長方形のプレート部６０と、プレート部６０の後部左右両端部から上方に立設する左右一対の隔壁側立設部６１と、プレート部６０の左右方向中央部において前後方向に亘って上方に立設する隔壁側中央立設部６２と、を有し、プレート部６０、各隔壁側立設部６１および隔壁側中央立設部６２とにより、前後方向に亘って左右一対の隔壁側収容凹部６３が形成されている。
【００７０】
プレート部６０の下面には、前方左右両端において下方に突出する略円柱状の左右一対の内部下側支持部６４と、各内部下側支持部６４に連なり後方に延出する左右一対の下側前方凸条部６５と、各下側前方凸条部６５に連なる左右一対の下側凸部６６と、が形成されている。
【００７１】
各内部下側支持部６４は、プレート部６０の前端から僅かに前側に突出すると共に、プレート部６０の左右方向端部から僅かに外側に突出するように形成されている。また、各内部下側支持部６４の下面には、矩形状の切込溝６４ａが前方から円の中心近くまで凹設されている。各下側凸部６６は、各内部下側支持部６４よりも突出量が小さく、下面視で前後方向に細長い長方形状を成し、前後方向略中央より前側に形成されている。また、各下側前方凸条部６５は、下側凸部６６よりも左右幅および突出量が小さく、下面視で前後方向に細長い長方形状を成し、各内部下側支持部６４と各下側凸部６６との間に形成されている。なお、右側の下側凸部６６には、その後端に連なりプレート部６０の後端近傍まで延出し、下側凸部６６より突出量の小さい下側後方凸条部６７が形成されている。
【００７２】
また、プレート部６０の下面には、左右一対の内部下側支持部６４の間に、前後方向に長い矩形状の内部下側凹部６８が凹設されている。内部下側凹部６８は、各内部下側支持部６４の中心から後方に延出して形成されている。
【００７３】
各隔壁側立設部６１の外側面の後部には、上方から切り込まれるように外側係止凹部７０が形成されており、前部には、下方から切り込まれるようにガイド溝７１が形成されている。また、各外側係止凹部７０の下方では各隔壁側立設部６１の下端部が面取りされることで、傾斜部６１ａが形成されている。
【００７４】
各隔壁側立設部６１の内側面には、前後方向中央より前側において、上下方向に亘って隔壁側係止凹部７２が形成されている。各隔壁側係止凹部７２は、上記した右側の内側立設部２２の内側係止凹部２３と略同一の前後幅となるように形成されている。
【００７５】
隔壁側中央立設部６２は、各隔壁側立設部６１側の隔壁側後方中央立設部６２ａと、隔壁側後方中央立設部６２ａより前側で左右方向の幅が広くなるように段差を介して形成される隔壁側前方中央立設部６２ｂと、から構成されている。また、隔壁側後方中央立設部６２ａには、各隔壁側係止凹部７２と前後方向の長さおよび形成位置が一致する隔壁側中央係止凹部７３が形成されている。なお、隔壁側後方中央立設部６２ａおよび隔壁側前方中央立設部６２ｂの上端面には、前後方向に亘って後側電源線溝部６２ｃが形成されている。
【００７６】
各隔壁側収容凹部６３の上面前方には、隔壁側前方中央立設部６２ｂと前後方向の長さが略同一に形成された上側凸条部７４が突設されている。上記したように、各上側凸条部７４が設けられていると共に、隔壁側後方中央立設部６２ａは左右方向の幅が狭くなっているため、各隔壁側収容凹部６３は、後側が上下左右に広く（大径に）形成され、前方に向かうに従って、上下左右に狭く（小径に）なるように形成されている。
【００７７】
次に、図１ないし図５を参照して、カバー６について説明する。カバー６は、合成樹脂等の絶縁材料から成り、後部側に設けられる拡幅覆設部７５と、拡幅覆設部７５より左右方向に小さくなるように左右一対のカバー段差部７７を介して拡幅覆設部７５の前端から前方に延出される狭幅覆設部７６と、を有し、拡幅覆設部７５および狭幅覆設部７６には前後方向に亘って上方に突出するカバー凸条部７９が形成されている。拡幅覆設部７５、狭幅覆設部７６およびカバー凸条部７９は、一体に形成されて、カバー６を構成している。また、拡幅覆設部７５、狭幅覆設部７６およびカバー凸条部７９は、略同一の厚さで形成されている。このため、下側から見ると、カバー凸条部７９は、凹設された溝となっている。
【００７８】
拡幅覆設部７５は、カバー凸条部７９を挟んで配設される左右一対の拡幅プレート部８０と、各拡幅プレート部８０の左右外端部から下方に延出する左右一対の拡幅垂設壁部８１と、各拡幅垂設壁部８１の後端部から内側に向けて延出する左右一対の後端突出部８２と、を有している。
【００７９】
各拡幅プレート部８０の下面後部には、下面視で前後方向に細長い長方形状の下側後端凸部８３が下方に向かって突設されている。各下側後端凸部８３は、その内側の端面をカバー凸条部７９（の溝）に沿わせて各拡幅プレート部８０の後端面から前方に向かって延設されている。また、各下側後端凸部８３の下面は、上方に向かって湾曲形状を成している。
【００８０】
各拡幅垂設壁部８１は、拡幅プレート部８０の左右外端から、やや内側に入った位置から下方に延出している。各拡幅垂設壁部８１の前後方向略中央には、上下方向に細長い後側長方形開口８４が形成されている。各後側長方形開口８４は、拡幅垂設壁部８１の上端から下端近傍までの間に形成されており、各拡幅プレート部８０には、各後側長方形開口８４の上端と連通するように矩形スリット８４ａが貫通形成されている。
【００８１】
狭幅覆設部７６は、カバー凸条部７９を挟んで配設される左右一対の狭幅プレート部８５と、各狭幅プレート部８５の左右外端部から下方に延出する左右一対の狭幅垂設壁部８６と、各狭幅垂設壁部８６の前端部から内側に向けて延出する左右一対の前端突出部８７と、を有している。
【００８２】
各狭幅プレート部８５の上下面は、各拡幅プレート部８０と同一平面を成すように形成されている。各狭幅プレート部８５の下面には、前端部において下方に突出する略円柱状の外部下側支持部８８と、外部下側支持部８８に連なり後方に延出する下側中間凸部８９と、下側中間凸部８９に連なり、狭幅プレート部８５の後端まで延出する下側後方凸部９０と、が形成されている。
【００８３】
各外部下側支持部８８は、上記した各内部下側支持部６４と同様の構成であり、その下面には、矩形状の切込溝８８ａが前方から円の中心近くまで凹設されている。各下側後方凸部９０は、下面視で前後方向に細長い長方形状を成し、各外部下側支持部８８と略同一の突出量で形成されている。各下側中間凸部８９は、各外部下側支持部８８よりも左右幅および突出量が小さく、下面視で前後方向に細長い長方形状を成し、各外部下側支持部８８と各下側後方凸部９０との間に形成されている。
【００８４】
各狭幅垂設壁部８６は、各拡幅垂設壁部８１の半分程度の高さ（上下方向の長さ）に形成されている。各カバー段差部７７は、各狭幅垂設壁部８６と同一の高さとなるように形成されており、各狭幅垂設壁部８６と各拡幅垂設壁部８１とはカバー段差部７７により連設されている。
【００８５】
各前端突出部８７の左右方向略中央には、上下方向に細長い前側長方形開口９１が形成されている。各前側長方形開口９１は、前端突出部８７の上端から下端近傍までの間に形成されており、各拡幅プレート部８０の前端には、各前側長方形開口９１の上端と連通するように切欠き（図示せず）が形成されている。
【００８６】
カバー凸条部７９は、全体として後面視で倒立Ｕ字型に形成されており、拡幅覆設部７５の後端から狭幅覆設部７６の前端近傍までに延設される凸条本体部９２と、凸条本体部９２の先端から前方に突出して設けられる凸条先端部９３と、を有している。
【００８７】
狭幅覆設部７６の前後方向略中央位置には、凸条本体部９２の上面から上方に僅かに突出する矩形突出部９２ａが一体形成されている。矩形突出部９２ａは、凸条本体部９２と左右幅が同一で、平面視で前後方向に細長い長方形状に形成されている。凸条先端部９３は、凸条本体部９２よりも左右幅が大きく、矩形突出部９２ａの上面と同一高さとなるように形成されている。凸条先端部９３は、平面視で略正方形状で、前後方向の長さの略半分を前方に突出している。
【００８８】
次に、図３ないし図７を参照して、上記した構成を備えた本実施形態に係るコネクタ１の組立手順について説明する。ここでは、左側の収容凹部１５および第１収容孔部３８ａに第１接続端子３を収納する場合について説明する。
【００８９】
まず、作業者は、ハウジング２の収容凹部１５および第１収容孔部３８ａに対し、上方から第１接続端子３を臨ませ、第１接続端子３の端子部４３を第１収容孔部３８ａに挿入し、第１接続端子３の接続部４２を収容凹部１５に挿入する。上記したように収容凹部１５は、同軸ケーブル７に接続された第１接続端子３の径に対応して、後側から前方に向かうに従って小径になるように形成されているため、第１接続端子３（同軸ケーブル７）は、収容凹部１５との間に余分な隙間が生じることなく嵌合する。すなわち、収容凹部１５の後側下面部１５ａには同軸ケーブル７および被覆圧着バレル部４４が載置され、中間下面部１５ｂには外部導体圧着バレル部４５が載置され、前側下面部１５ｃには絶縁体囲繞部４６が載置される。
【００９０】
また、第１収容孔部３８ａは、その内周面と、第１接続端子３の端子部４３の外周面とが摺接して挿入することができる程度の公差をもって形成されている。したがって、第１接続端子３の端子部４３は、非係止状態で第１収容孔部３８ａに収容され、同軸ケーブル７の軸方向（第１収容孔部３８ａの径方向）に位置決めされることとなる。
【００９１】
ここで、左側の内側係止凹部２３は、係止凸部４７が挿入可能なスリット状に形成されている。作業者は、第１接続端子３の左右一対の係止凸部４７が、左側の内側立設部２２の内側係止凹部２３と、後側中央立設部２６ａの中央係止凹部２８（左側後端面２８ａ）とに係止されるように、第１接続端子３を挿入する。これにより、同軸ケーブル７が後方に引っ張られたとしても、左右一対の係止凸部４７が、左側の内側係止凹部２３の後面と、中央係止凹部２８の左側後端面２８ａとに当接することで、後方への移動が規制される。
【００９２】
ここで、上記したように、中央係止凹部２８および右側の内側係止凹部２３は、左側の内側係止凹部２３よりも前方に幅広く形成されている。このため、中央係止凹部２８および右側の内側係止凹部２３には、複数の第１接続端子３の係止凸部４７を挿入することができる。すなわち、左右一対の内側係止凹部２３および中央係止凹部２８は、前後方向にずれた異なる位置に形成された各係止凸部４７を挿入可能に形成されている。これにより、例えば、左側に加えて、右側の収容凹部１５および第１収容孔部３８ａに第１接続端子３を収納する場合であっても、左右隣り合う第１接続端子３の係止凸部４７が、中央係止凹部２８で干渉することを防止することができる。この場合、第１接続端子３の各係止凸部４７は、右側の内側係止凹部２３の後面と、中央係止凹部２８の右側後端面２８ｂとに当接することで、後方への移動が規制される。
【００９３】
次に、作業者は、ハウジング２の各収容凹部１５および各第１収容孔部３８ａに対し、上方から隔壁部材４を臨ませ、隔壁部材４をハウジング２の内部に押下げる。このとき、隔壁部材４の各ガイド溝７１に、拡幅部１２の各ガイド凸部２５を挿入して案内させつつ、隔壁部材４を押下げる。この押下げが進むと、隔壁部材４の各傾斜部６１ａが、拡幅部１２（拡幅壁部１７）の各内側係止部２４に接触し、隔壁部材４の押下げの進行に従って、各拡幅壁部１７を左右方向外側に押し広げる。さらに、隔壁部材４の押下げが進むと、隔壁部材４の外側係止凹部７０は、拡幅部１２の各内側係止部２４より下方に移動し、各拡幅壁部１７の復元力により拡幅部１２の各内側係止部２４が、隔壁部材４の各外側係止凹部７０の下端面に係止される。これにより、隔壁部材４の押下げが終了し、ハウジング２の内部を上下に仕切るように固定される。この状態で、隔壁部材４の隔壁側立設部６１の下面は、内側立設部２２の上面に当接し、プレート部６０の底面左右中央部分は、後側中央立設部２６ａおよび前側中央立設部２６ｂの上面に当接している。また、この状態で、中央立設部２６（前側中央立設部２６ｂ）の内部突起２７は、隔壁部材４（プレート部６０）の内部下側凹部６８に進入し嵌合している。さらに、この状態で、隔壁部材４の内部下側支持部６４は、第１接続端子３の端子部４３の上端部に当接する。すなわち、第１接続端子３の端子部４３は、隔壁部材４の内部下側支持部６４にて上端を上方から支持されて、後述する相手側コネクタ１００への嵌合時の反力に対抗可能となっている。第１接続端子３は、前側下面部１５ｃと内部下側支持部６４とにより挟持された状態で、端子部４３が第１収容孔部３８ａに保持される。
【００９４】
次に、作業者は、隔壁部材４の各隔壁側収容凹部６３およびハウジング２の各第２収容孔部３８ｂに対し、上方から第２接続端子５を臨ませ、第２接続端子５の端子部４３を第２収容孔部３８ｂに挿入し、第２接続端子５の接続部４２を隔壁側収容凹部６３に挿入する。なお、ここでは、左側の隔壁側収容凹部６３および第２収容孔部３８ｂに第２接続端子５を収納するものとする。上記したように各隔壁側収容凹部６３は、同軸ケーブル７に接続された第２接続端子５の径に対応して、後側から前方に向かうに従って小径になるように形成されているため、第２接続端子５（同軸ケーブル７）は、各隔壁側収容凹部６３との間に余分な隙間が生じることなく嵌合する。すなわち、隔壁側収容凹部６３の後側には同軸ケーブル７および被覆圧着バレル部４４が臨み、隔壁側収容凹部６３の上側凸条部７４には中間バレル部４８および外部導体圧着バレル部４５が臨むようになっている。
【００９５】
また、第１接続端子３の端子部４３と同様に、各第２接続端子５の端子部４３は、非係止状態で第２収容孔部３８ｂに収容され、同軸ケーブル７の軸方向（第２収容孔部３８ｂの径方向）に位置決めされることとなる。
【００９６】
また、作業者は、第１接続端子３のときと同様に、第２接続端子５の左右一対の係止凸部４７が、拡幅部１２の領域に設けられた左側の隔壁側立設部６１の隔壁側係止凹部７２と、隔壁側中央立設部６２の隔壁側中央係止凹部７３とに係止されるように、第２接続端子５を挿入する。これにより、後方への移動が規制された状態で、第２接続端子５が隔壁部材４上に保持される。なお、上記したように、左右一対の隔壁側係止凹部７２および隔壁側中央係止凹部７３は、その前後幅が、各係止凸部４７の前後幅（厚み）よりも大きく形成されているため、各第２接続端子５の各係止凸部４７を異なる位置にずらして形成することで、複数の第２接続端子５の各係止凸部４７を挿入することができる。これにより、例えば、左側に加えて、右側の隔壁側収容凹部６３および第２収容孔部３８ｂに第２接続端子５を収納する場合であっても、左右隣り合う第２接続端子５の係止凸部４７が、隔壁側中央係止凹部７３で干渉することを防止することができる。
【００９７】
また、電源線８の端末に圧着したＬ字型の電源端子８ａを、電源線収容部３１の電源線収納孔部３１ｂ内に挿入すると共に、電源線８および電源端子８ａの圧着部分を、左右隔壁部３９ｂの前端電源線溝部３９ｃおよび隔壁側中央立設部６２の後側電源線溝部６２ｃに載置する。なお、電源線８および電源端子８ａは周知のものを用いているためのその詳細な説明は省略する。
【００９８】
次に、作業者は、ハウジング２の上端部に対し、上方からカバー６を取り付ける。作業者は、カバー６の拡幅覆設部７５を、ハウジング２の拡幅部１２に合わせ、拡幅部１２の各拡幅壁部１７に沿って、カバー６を押下げる。この押下げが進むと、カバー６の各拡幅垂設壁部８１の下端面が、拡幅部１２（各拡幅壁部１７）の各後側係止部２０に接触し、カバー６の押下げの進行に従って、各拡幅垂設壁部８１が左右方向外側に押し広げられる。また、この押下げが進むと、カバー６の各前端突出部８７の下端面が、突設部１１（各突設前壁部３５）の各前側係止部３５ａに接触し、カバー６の押下げの進行に従って、各前端突出部８７が前方に押し広げられる。
【００９９】
さらに、カバー６の押下げが進むと、カバー６の各後側長方形開口８４は、拡幅部１２の各後側係止部２０より下方に移動し、各拡幅垂設壁部８１の復元力により拡幅部１２の各後側係止部２０が、カバー６の各後側長方形開口８４の下端面に係止される。また、同様に、カバー６の各前側長方形開口９１は、突設部１１の各前側係止部３５ａより下方に移動し、各前端突出部８７の復元力により突設部１１の各前側係止部３５ａが、カバー６の各前側長方形開口９１の下端面に係止される。これにより、カバー６の押下げが終了し、カバー６は、隔壁部材４と略平行を成すようにハウジング２の上部に固定される。この状態で、カバー６の拡幅プレート部８０はハウジング２の拡幅壁部１７の上端面に当接し、カバー６の狭幅プレート部８５はハウジング２の狭幅壁部１９および突設本体部３０の上端面に当接し、カバー６のカバー凸条部７９の凸条先端部９３はハウジング２の電源線収容部３１の上端面に当接する。また、この状態で、カバー６の下側後端凸部８３は、第２接続端子５が接続された同軸ケーブル７の上端部に当接する。さらに、この状態で、カバー６の外部下側支持部８８は、第２接続端子５の端子部４３の上端部に当接すると共に、カバー６の下側後方凸部９０は、第２接続端子５の被覆圧着バレル部４４および中間バレル部４８の上端部に当接する。すなわち、第２接続端子５は、前後隔壁部３９ａの上端面と外部下側支持部８８とにより挟持された状態で、端子部４３が第２収容孔部３８ｂに保持される。
【０１００】
以上により、コネクタ１の組立が完了する。
【０１０１】
一方、組み立てられたコネクタ１を分解する場合には、まず、カバー６の凸条先端部９３を上方に持ち上げることにより、各前側係止部３５ａと各前側長方形開口９１との係止状態を解除する。その後に、左右どちらか一方ずつ拡幅垂設壁部８１を外側に押し開くことにより、後側係止部２０と後側長方形開口８４との係止状態を解除する。これにより、カバー６をハウジング２から取り外すことができる。また、左右どちらか一方ずつ拡幅壁部１７を外側に押し開くことにより、外側係止凹部７０と内側係止部２４との係止状態を解除する。これにより、隔壁部材４をハウジング２の内部から取り外すことができる。
【０１０２】
次に、図８を参照して、このコネクタ１が接続される相手側コネクタ１００について説明する。図８は、本発明の実施形態に係るコネクタ１が嵌合する相手側コネクタ１００を上方から示す斜視図である。
【０１０３】
相手側コネクタ１００は、相手側コネクタ１００の主要な外観を成す相手側ハウジング１０１と、相手側ハウジング１０１の内部に収容される４つの相手側接続端子１０２および１つの相手側電源端子１０３と、を備えている。
【０１０４】
相手側ハウジング１０１は、合成樹脂等の絶縁材料から成り、上方を開放した嵌合凹部１０４を有して外観略矩形箱状に形成されている。また、相手側ハウジング１０１の前面下部および後面下部には、図示を省略する基板に電気的に接続するための基板接続端子（図示せず）への負荷を緩和する基板端子保持部１０６が形成されている。また、相手側ハウジング１０１の前面上部には、矩形状の相手側ロック開口１０７が貫通形成されている。
【０１０５】
嵌合凹部１０４は、上記したコネクタ１の突設部１１に対応する形状に形成されている。嵌合凹部１０４には、コネクタ１の各接続端子３，５に対応する位置に４つの相手側接続端子１０２が格子状に配設されている。また、コネクタ１の電源端子８ａに対応する位置に相手側電源端子１０３が配設されている。
【０１０６】
また、嵌合凹部１０４において、左右両側前後一対の相手側接続端子１０２の間には、嵌合凹部１０４の左右両内面から内側に突出するように左右一対の内側ガイド凸部１１０が形成されている。同様に、嵌合凹部１０４の後側内面の左右方向中央には、内側に突出するように後側ガイド凸部１１１が形成されている。各ガイド凸部１１０，１１１は、嵌合凹部１０４の底面（上面）から相手側ハウジング１０１の上端面まで延設されている。なお、後側ガイド凸部１１１は、各内側ガイド凸部１１０よりも内側に大きく前方（左右両内面と略平行）に突出している。また、相手側ハウジング１０１の後端面には、上方から矩形状に切り欠かれた嵌合切欠き部１１４が、後側ガイド凸部１１１を挟んで左右一対形成されている。
【０１０７】
嵌合凹部１０４において、相手側電源端子１０３の左側には第１誤挿入防止凹部１１２が形成され、相手側電源端子１０３の右側後方には第２誤挿入防止凹部１１３が形成されている。
【０１０８】
相手側接続端子１０２は、導電材料から成る同軸端子であり、円筒状の相手側外部導体１１５と、相手側外部導体１１５の中心に立設される相手側中心導体１１６と、を有している。
【０１０９】
次に、コネクタ１を相手側コネクタ１００に接続（嵌合）する手順について説明する。なお、相手側コネクタ１００の各相手側接続端子１０２および相手側電源端子１０３は、図示を省略する筐体内に設けられた基板上に電気的に接続されているものとする。また、相手側コネクタ１００は、各基板端子保持部１０６を介して基板上に固定され、筐体に形成された開口から相手側ハウジング１０１の上方部分（嵌合側部分）を外部に露出しているものとする。
【０１１０】
まず、作業者は、ハウジング２の本体部１０を、相手側ハウジング１０１の各嵌合切欠き部１１４より上方に臨ませ、ハウジング２の突設部１１を、相手側ハウジング１０１の嵌合凹部１０４に臨ませて、コネクタ１を押下げる。このとき、相手側ハウジング１０１の各内側ガイド凸部１１０および後側ガイド凸部１１１を、突設部１１の各外側嵌合溝３４ａおよび後側嵌合溝３６ａに挿入して案内させつつ、コネクタ１を押下げる。また、同様に、突設部１１の第１誤挿入防止凸部３１ｃおよび第２誤挿入防止凸部３１ｄを、相手側ハウジング１０１の第１誤挿入防止凹部１１２および第２誤挿入防止凹部１１３に挿入すると共に、突設部１１の後側嵌合溝３６ａに相手側ハウジング１０１の後側ガイド凸部１１１を挿入して案内させつつ、コネクタ１を押下げる。
【０１１１】
この押下げが進むと、突設部１１のロックアーム３２（アーム部４１）のロック係合部４１ｂが、相手側ハウジング１０１の上端面に接触し、コネクタ１の押下げの進行に従って、アーム部４１は、延出部４０との接続部分を支点として後方に撓曲する。さらに、コネクタ１の押下げが進むと、ロック係合部４１ｂは、相手側ハウジング１０１の相手側ロック開口１０７の上端より下方に移動し、アーム部４１は、自らの復元力により前方に移動し、ロック係合部４１ｂが相手側ロック開口１０７に係止される。この状態で、内側ガイド凸部１１０は外側嵌合溝３４ａに嵌合し、後側ガイド凸部１１１は後側嵌合溝３６ａに嵌合している。また、第１誤挿入防止凸部３１ｃは第１誤挿入防止凹部１１２に嵌合し、第２誤挿入防止凸部３１ｄは第２誤挿入防止凹部１１３に嵌合している。なお、誤挿入防止凸部３１ｃ，３１ｄおよび各誤挿入防止凹部１１２，１１３は、それぞれ任意の位置に形成して構わない。
【０１１２】
また、相手側コネクタ１００の各相手側接続端子１０２は、コネクタ１の各接続端子３，５の内部に進入し接続される。詳細には、各相手側外部導体１１５は、各端子部４３の端子外部導体５４と端子絶縁体５５との間に進入し、各嵌合片部５４ａを左右外側に僅かに押し出す。この押し出された各嵌合片部５４ａの先端部は、各収容孔部３８ａ，３８ｂに形成された各収納開口３８ｃに進入する。また、各相手側中心導体１１６は、各端子内部導体５６（内部導体本体部５６ａ）の二股に分かれた一対の端子片部５６ｃの間に進入し挟持される。なお、コネクタ１（突設部１１）の各端子開口部３７は、相手側コネクタ１００の相手側接続端子１０２が通過可能で、且つ第１接続端子３および第２接続端子５の接続部４２が通過不能な大きさに形成されている。また、相手側コネクタ１００の相手側電源端子１０３は、コネクタ１の電源端子８ａの内部に進入し接続される。
【０１１３】
以上により、コネクタ１と相手側コネクタ１００との接続（嵌合）が完了する。なお、この接続した状態で、後端から前方に亘って形成された後側ガイド凸部１１１が、突設部１１（突設本体部３０）の後側嵌合溝３６ａに嵌合し、突設後壁部３６よりも後方に延びているため、相手側コネクタ１００に対するコネクタ１の左右方向のこじりが防止される。
【０１１４】
一方、コネクタ１と相手側コネクタ１００との接続（嵌合）を解除する場合には、アーム部４１の操作部４１ａを後方に押圧し、ロック係合部４１ｂと相手側ロック開口１０７との係止状態を解除し、相手側コネクタ１００に対し、コネクタ１を上方に引き抜く。これにより、相手側コネクタ１００からコネクタ１を取り出すことができる。
【０１１５】
以上説明したとおり、本発明の実施形態に係る第２接続端子５（同軸端子）によれば、被覆圧着バレル部４４は、外部導体圧着バレル部４５および中間バレル部４８を挟んで、端子部４３から引き離された位置に形成されている。これにより、端子部４３側には、被覆圧着バレル部４４と比して小径とすることができる外部導体圧着バレル部４５および中間バレル部４８が位置しているため、第２接続端子５を収容するハウジング２における端子部４３周辺の構成である突設部１１（嵌合部分）の小型化を図ることができる。また、中間バレル部４８は、同軸ケーブル７の外部導体５２を覆うように設けられているため、同軸ケーブル７のノイズ特性を良好に維持可能な同軸ケーブル７付き第２接続端子５（同軸端子）を構成することができる。さらに、中間バレル部４８は、同軸ケーブル７の外部導体５２を押し潰すことがないため、絶縁体５０および中心導体５１を過度に変形させることがなく、同軸ケーブル７の特性インピーダンスの変化を抑制することができる。
【０１１６】
また、本発明の実施形態に係る第２接続端子５によれば、外部導体圧着バレル部４５と中間バレル部４８とを構成している凹状の片４５ａ，４８ａと凸状の片４５ａ，４８ａとが互い違いに形成されている。通常、圧着または覆設時には、凹状の片４５ａ，４８ａから凸状の片４５ａ，４８ａに向かう回動力が外部導体５２（同軸ケーブル７）に作用する。このため、外部導体５２に対し、外部導体圧着バレル部４５の圧着時と、中間バレル部４８の覆設時とでは、外部導体５２（同軸ケーブル７）に作用する回動力は、相反する方向に向かうこととなる。これにより、同軸ケーブル７が一方向に回動させられることを抑制することができ、第２接続端子５と同軸ケーブル７との接続を捩じれのないバランスの良い状態とすることができる。
【０１１７】
さらに、本発明の実施形態に係る第１接続端子３および第２接続端子５によれば、絶縁体囲繞部４６が絶縁突部５５ｂを囲むことで、絶縁突部５５ｂに連なる端子絶縁体５５ａを介して端子部４３を支持することができる。これにより、例えば、各接続端子３，５に接続された同軸ケーブル７がこじられてＬ字型に屈曲した部分に応力集中が生じた場合でも、各接続端子３，５の変形を抑制することができる。
【０１１８】
なお、上記した実施形態に係るコネクタ１では、（同軸ケーブル７付きの）第１接続端子３および第２接続端子５がそれぞれ２つ設けられていたが、これに限定されるものではなく、それぞれ１つ以上設けられていればよい。例えば、左右方向に２つ以上の第１接続端子３および第２接続端子５を配設するようにしてもよいし、各第２接続端子５の上側にさらに別の接続端子を配設するようにしてもよい。また、第１接続端子３または第２接続端子５が設けられた構成としてもよい。例えば、第１接続端子３のみが設けられたコネクタ１を構成する場合には、隔壁部材４を省略し、カバー６により第１接続端子３の上下方向に移動を規制するようにしてもよい。
【０１１９】
なお、上記した実施形態に係るコネクタ１の第２接続端子５では、中間バレル部４８が、外部導体圧着バレル部４５とは別個独立に形成されていたが、中間バレル部４８を外部導体圧着バレル部４５と一体に形成してもよい。この場合でも、中間バレル部４８に相当する部分は、外部導体５２を変形させないように折り曲げる。また、外部導体圧着バレル部４５の各導体圧着片４５ａおよび中間バレル部４８の被着片４８ａの凹凸は左右が逆になっていても構わない。
【０１２０】
なお、上記した本発明の実施形態の説明は、本発明に係る第２接続端子５（同軸端子）および同軸ケーブル７付き第２接続端子５（同軸端子）における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、且つ、他の既存の構成要素との組合せを含む様々なバリエーションが可能であり、上記した本発明の実施形態の記載をもって、特許請求の範囲に記載された発明の内容を限定するものではない。
【符号の説明】
【０１２１】
１  コネクタ
５  第２接続端子
７  同軸ケーブル
４３  端子部
４４  被覆圧着バレル部
４５  外部導体圧着バレル部
４５ａ  導体圧着片
４６  絶縁体囲繞部
４８  中間バレル部
４８ａ  被着片
５０  絶縁体
５１  中心導体
５２  外部導体
５３  外部被覆
５５  端子絶縁体
５５ａ  絶縁本体部
５５ｂ  絶縁突部
【図１】
2014107140.tif 000003
【図２】
2014107140.tif 000004
【図３】
2014107140.tif 000005
【図４】
2014107140.tif 000006
【図５】
2014107140.tif 000007
【図６】
2014107140.tif 000008
【図７】
2014107140.tif 000009
【図８】
2014107140.tif 000010